(57)【要約】【課題】手ぶれを防止する。【解決手段】レンズ鏡胴８０の先端部には、電子ビューファインダ８２が軸着され、レンズ鏡胴８０の先端部を中心に回動自在に保持されている。電子ビューファインダ８２は、使用時にレンズ鏡胴８０の側面から起立した位置まで移動され、表示面４０がレンズ鏡胴８０の前端面とほぼ等しい位置に配置される。このレンズ鏡胴８０を用いることで、デジタルカメラを撮影者に近づけて構えることができ、保持が安定し、手ぶれを防止できる。【選択図】        図８
2006319660.tif 000002
【特許請求の範囲】
【請求項１】
撮影レンズを保持したレンズ鏡胴と、撮影レンズを通して得られる被写体像をスルー画表示する電子ビューファインダとを備えたデジタルカメラにおいて、
前記電子ビューファインダを、前記レンズ鏡胴の先端部近傍で回動自在に保持する保持手段を備えたことを特徴とするデジタルカメラ。
【請求項２】
前記保持手段は、前記電子ビューファインダの表示面の長手方向を前記レンズ鏡胴の軸方向と一致させた状態で前記電子ビューファインダを保持することを特徴とする請求項１記載のデジタルカメラ。
【請求項３】
前記保持手段は、前記表示面が前記レンズ鏡胴の側面に対面した収納位置と、前記表示面が前記レンズ鏡胴の側面から起立した使用位置との間で、前記電子ビューファインダを回動自在に保持することを特徴とする請求項１または２記載のデジタルカメラ。
【請求項４】
前記保持手段は、前記収納位置において、前記表示面の長手方向を前記レンズ鏡胴の軸方向と一致させた状態で前記電子ビューファインダを保持することを特徴とする請求項１乃至３記載のデジタルカメラ。
【請求項５】
前記保持手段は、前記使用位置において、前記表示面が縦長になる縦型起立位置と、前記表示面が横長となる横型起立位置との間で、前記電子ビューファインダを回動自在に保持することを特徴とする請求項１乃至４記載のデジタルカメラ。
【請求項６】
前記電子ビューファインダは、前記表示面とは反対側の面に、被写体に対して光を照射する発光部を備えていることを特徴とする請求項１乃至５記載のデジタルカメラ。
【請求項７】
前記発光部は、前記表示面と前記撮影レンズの光軸とのなす角が９０°以上となるように、前記表示面を被写体側へ傾けた状態において、前記撮影レンズの光軸と平行な方向へ光を発光することを特徴とする請求項６記載のデジタルカメラ。
【請求項８】
前記レンズ鏡胴内に個体撮像装置を内蔵したことを特徴とする請求項１乃至７記載のデジタルカメラ。
【請求項９】
前記レンズ鏡胴と、前記電子ビューファインダとからなる鏡胴ユニットと、この鏡胴ユニットと着脱自在の本体ユニットとから構成されることを特徴とする請求項１乃至８記載のデジタルカメラ。
【請求項１０】
前記本体ユニットに、前記表示面を拡大して観察するためのルーペ光学系を設けたことを特徴とする請求項９記載のデジタルカメラ。
【請求項１１】
前記電子ビューファインダと、前記ルーペ光学系との間の光路の少なくとも一部を覆う遮光カバーを設けたことを特徴とする請求項１０記載のデジタルカメラ。
【請求項１２】
前記遮光カバーは伸縮自在に形成され、一端部が前記電子ビューファインダに取り付けられ、使用の際に他端部が電子ビューファインダから引き延ばされて前記本体ユニットに取り付けられることを特徴とする請求項１１記載のデジタルカメラ。
【請求項１３】
前記レンズ鏡胴と、前記電子ビューファインダとからなる鏡胴ユニットと、この鏡胴ユニットの側面に着脱自在に設けられ、撮影者によって把持されるハンドグリップとから構成されることを特徴とする請求項１乃至８記載のデジタルカメラ。
【請求項１４】
前記ハンドグリップは、棒形状に形成されるとともに、一端部に撮影指示を入力するためのシャッタレリーズボタンが配置されていることを特徴とする請求項１３記載のデジタルカメラ。
【発明の詳細な説明】
【技術分野】
【０００１】
本発明は、撮影レンズを保持したレンズ鏡胴と、撮影レンズを通して得られる被写体像をスルー画表示する表示面を有する電子ビューファインダとを備えたデジタルカメラに関するものである。
【背景技術】
【０００２】
ＣＣＤやＣＭＯＳなどの個体撮像装置を備えたデジタルカメラが広く普及している。一般に、デジタルカメラは、被写体側となる前面に撮影レンズを保持したレンズ鏡胴が配置され、撮影者側となる背面に液晶ディスプレイなどの電子ビューファインダが設けられている（例えば、下記特許文献１参照）。電子ビューファインダには、撮影レンズを通して得られる被写体のスルー画が表示され、撮影者は電子ビューファインダを観察してフレーミングを行う。
【特許文献１】特開２００１−２５１５４１号公報
【発明の開示】
【発明が解決しようとする課題】
【０００３】
ところで、電子ビューファインダは、撮影者からある程度離さないと表示された画像を視認することができない。しかしながら、従来のデジタルカメラは、背面に電子ビューファインダが設けられているので、フレーミングの際にデジタルカメラの背面を撮影者から離す必要があった。このため、デジタルカメラを構える腕が伸びてしまい、デジタルカメラの保持が不安定となり、手ぶれの原因となってしまっていた。
【０００４】
本発明は、手ぶれを防止できるデジタルカメラを提供することを目的としている。
【課題を解決するための手段】
【０００５】
上記目的を達成するために、本発明のデジタルカメラは、撮影レンズを保持したレンズ鏡胴と、撮影レンズを通して得られる被写体像をスルー画表示する電子ビューファインダとを備えたデジタルカメラにおいて、
前記電子ビューファインダを、前記レンズ鏡胴の先端部近傍で回動自在に保持する保持手段を備えたことを特徴としている。
【０００６】
前記保持手段は、前記電子ビューファインダの表示面の長手方向を前記レンズ鏡胴の軸方向と一致させた状態で前記電子ビューファインダを保持することが好ましい。
【０００７】
また、前記保持手段は、前記表示面が前記レンズ鏡胴の側面に対面した収納位置と、前記表示面が前記レンズ鏡胴の側面から起立した使用位置との間で、前記電子ビューファインダを回動自在に保持することが好ましい。
【０００８】
さらに、前記保持手段は、前記収納位置において、前記表示面の長手方向を前記レンズ鏡胴の軸方向と一致させた状態で前記電子ビューファインダを保持することが好ましい。
【０００９】
また、前記保持手段は、前記使用位置において、前記表示面が縦長になる縦型起立位置と、前記表示面が横長となる横型起立位置との間で、前記電子ビューファインダを回動自在に保持することが好ましい。
【００１０】
さらに、前記電子ビューファインダは、前記表示面とは反対側の面に、被写体に対して光を照射する発光部を備えていることが好ましい。
【００１１】
また、前記発光部は、前記表示面と前記撮影レンズの光軸とのなす角が９０°以上となるように、前記表示面を被写体側へ傾けた状態において、前記撮影レンズの光軸と平行な方向へ光を発光することが好ましい。
【００１２】
さらに、前記レンズ鏡胴内に個体撮像装置を内蔵することが好ましい。
【００１３】
また、前記レンズ鏡胴と、前記電子ビューファインダとからなる鏡胴ユニットと、この鏡胴ユニットと着脱自在の本体ユニットとからデジタルカメラを構成してもよい。
【００１４】
さらに、前記本体ユニットに、前記表示面を拡大して観察するためのルーペ光学系を設けることが好ましい。
【００１５】
また、前記電子ビューファインダと、前記ルーペ光学系との間の光路の少なくとも一部を覆う遮光カバーを設けることが好ましい。
【００１６】
さらに、前記遮光カバーは伸縮自在に形成され、一端部が前記電子ビューファインダに取り付けられ、使用の際に他端部が電子ビューファインダから引き延ばされて前記本体ユニットに取り付けられることが好ましい。
【００１７】
また、前記レンズ鏡胴と、前記電子ビューファインダとからなる鏡胴ユニットと、この鏡胴ユニットの側面に着脱自在に設けられ、撮影者によって把持されるハンドグリップとからデジタルカメラを構成してもよい。
【００１８】
さらに、前記ハンドグリップは、棒形状に形成されるとともに、一端部に撮影指示を入力するためのシャッタレリーズボタンが配置されていることが好ましい。
【発明の効果】
【００１９】
本発明のデジタルカメラによれば、レンズ鏡胴の先端部に電子ビューファインダを配置したので、レンズ鏡胴の先端部を撮影者からある程度離すことによって、電子ビューファインダに表示された画像を視認できる。このため、電子ビューファインダを背面に配置し、この背面を撮影者からある程度離してデジタルカメラを構える場合と比較して、デジタルカメラの背面から先端部までの長さ分、デジタルカメラを撮影者に近づけて構えることができる。これにより、デジタルカメラの保持が安定し、手ぶれを防止できる。
【００２０】
また、電子ビューファインダを、表示面が前記レンズ鏡胴の側面に対面した収納位置と、表示面がレンズ鏡胴の側面から起立した使用位置との間で回動自在に保持することによって、携帯や保管の際にコンパクトに折りたためるので便利である。
【００２１】
さらに、収納位置において、表示面の長手方向を前記レンズ鏡胴の軸方向と一致させることにより、携帯や保管の際によりコンパクトに折りたたむことができる。
【００２２】
また、使用位置において、表示面が縦長になる縦型起立位置と、表示面が横長となる横型起立位置との間で、電子ビューファインダを回動自在に保持することで、表示面の縦横比を調節できるので便利である。
【００２３】
さらに、電子ビューファインダの表示面とは反対側の面は被写体と対面しており、ここに被写体に対して光を照射する発光部を設けることでスペースを有効活用することができる。
【００２４】
また、デジタルカメラの斜め上方から表示面を視認し易いように、表示面を被写体側へ傾けた際に、撮影レンズの光軸と平行である適正な方向へ光を発光するように発光部を構成すれば、よりフレーミングがし易くなる。
【００２５】
さらに、鏡胴ユニットに個体撮像装置を内蔵することによって、スペース効率が向上しデジタルカメラを小型化できる。
【００２６】
また、レンズ鏡胴と、電子ビューファインダとからなる鏡胴ユニットと、この鏡胴ユニットと着脱自在の本体ユニットとからデジタルカメラを構成すれば、鏡胴ユニットや本体ユニットの仕様変更を別個に行えるので便利である。さらに、１つの本体ユニットに対し、撮影シーンに応じて複数種類の鏡胴ユニットを付け替えて用いることも可能となり、撮影の自由度が向上する。
【００２７】
さらに、本体ユニットに、表示面を拡大して観察するためのルーペ光学系を設ければ、電子ビューファインダを観察し易くなる。
【００２８】
また、電子ビューファインダと、前記ルーペ光学系との間の光路の少なくとも一部を遮光カバーで覆うようにすれば、例えば、日中の屋外などの明るい場所において、より電子ビューファインダを観察し易くなる。
【００２９】
さらに、遮光カバーを伸縮自在に形成し、一端部を電子ビューファインダに取り付け、使用の際に他端部を電子ビューファインダから引き延ばして本体ユニットに取り付けて用いることによって、携帯や保管の際に遮光カバーがかさばってしまうことがない。
【００３０】
また、レンズ鏡胴と、電子ビューファインダとからなる鏡胴ユニットと、この鏡胴ユニットの側面に着脱自在に設けられ、撮影者によって把持されるハンドグリップとからデジタルカメラを構成すれば、デジタルカメラを小型化できる。
【００３１】
さらに、ハンドグリップを棒形状に形成し、一端部に撮影指示を入力するためのシャッタレリーズボタンを配置することで、使い勝手が向上する。
【発明を実施するための最良の形態】
【００３２】
本発明を実施したデジタルカメラの前面側外観図を示す図１、並びに、背面側外観図を示す図２において、デジタルカメラ１０は、本体ユニット１２と、鏡胴ユニット１４とから構成される。これら本体ユニット１２と鏡胴ユニット１４とは、互いに着脱自在に設けられ、撮影の際には一体化される。本体ユニット１２の前面には開口１６が設けられ、鏡胴ユニット１４の後端部には係合筒１８が設けられており、開口１６に係合筒１８を嵌め込むことで、本体ユニット１２と鏡胴ユニット１４とが一体化される。
【００３３】
鏡胴ユニット１４は、撮影レンズ２０、絞り（図示せず）、ＣＣＤ２２が、筒形状のレンズ鏡胴２３内に内蔵されユニット化されたものである。鏡胴ユニット１４は、本体ユニット１２によって制御され、撮影レンズ２０や絞りを透過した被写体光をＣＣＤ２２により撮像信号として取得し、取得した撮像信号を本体ユニット１２に出力する。鏡胴ユニット１４は、デジタルカメラ１０が撮影モードにセットされるとＣＣＤ２２の画像数を落とし、スルー画としての撮像を開始する。また、鏡胴ユニット１４は、スルー画撮像中に撮影指示が入力されると記録用の本画像としての撮像を行う。
【００３４】
本体ユニット１２には、撮影指示を入力するためのシャッタボタン２４や、電源のオンオフを行うための電源ボタン２６や、撮影を行う際に選択される撮影モード、撮影した画像を観察する際に選択される再生モード、各種設定を行う際に選択されるメニューモードの各モードを切り替えるためのモード選択ボタン２８など各種操作部材が設けられている。本体ユニット１２は、これら各操作部材から入力される操作信号に基づいて鏡胴ユニット１４を制御する。
【００３５】
また、本体ユニット１２の背面には簡易モニタ３０が設けられている。簡易モニタ３０は、周知の液晶ディスプレイから構成される。簡易モニタ３０には、撮影モードにおいてはスルー画が表示され、再生モードにおいては撮影済みの画像が再生表示され、メニューモードにおいては各種設定を行うためのメニュー画面が表示される。
【００３６】
しかし、簡易モニタ３０は、撮影者からある程度離さないと視認することができない。このため、撮影モードにおいて簡易モニタ３０に表示されるスルー画を観察してフレーミングを行う場合、腕を伸ばしてデジタルカメラ１０を構える必要があり、カメラの保持が不安定となってしまい手ぶれなどの問題が生じていた。この問題を防止するため、デジタルカメラ１０では、鏡胴ユニット１４に、メインモニタとして電子ビューファインダ３２を配置している。
【００３７】
電子ビューファインダ３２は、簡易モニタ３０同様、周知の液晶ディスプレイから構成され、スルー画や撮影済み画像やメニュー画面が表示される。電子ビューファインダ３２は、矩形の板状に形成され、連結アーム３４を介してレンズ鏡胴２３の先端部と連結されている。図３に示すように、連結アーム３４は、互いに直交する２つの軸３６、３８を備え、軸３６がレンズ鏡胴２３に連結され、軸３８が電子ビューファインダ３２に連結される。そして、電子ビューファインダ３２は、連結アーム３４の２つの軸３６、３８を中心に、図１、図２に示す収納位置と、図４に示す縦型使用位置と、図５に示す横型使用位置との間で回動自在に保持される。
【００３８】
収納位置は、電子ビューファインダ３２の表示面４０を、レンズ鏡胴２３の側面の一部に形成された平坦部４２（図４、図５参照）と対面させる位置であり、かつ、電子ビューファインダ３２の長手方向を、レンズ鏡胴２３の長手方向（軸方向）と一致させる位置である。電子ビューファインダ３２は、不使用時に収納位置へ移動される。
【００３９】
縦型使用位置は、電子ビューファインダ３２が収納位置から軸３６を中心に約９０°回動され、平坦部４２から起立して表示面４０を鏡胴ユニット１４の後端側へ向け露呈させる位置であり、かつ、表示面４０の長手方向を鉛直方向と略一致させる位置である。また、横型使用位置は、電子ビューファインダ３２が縦型使用位置から軸３８を中心に約９０°回動され、表示面４０の長手方向を水平方向と略一致させる位置である。電子ビューファインダ３２は、使用時に縦型使用位置もしくは横型使用位置へ移動される。
【００４０】
以下、上記構成による本発明の作用について説明する。デジタルカメラ１０は、電子ビューファインダ３２を備え、ここにスルー画や撮影済み画像やメニュー画面が表示される。電子ビューファインダ３２は、連結アーム３４を介してレンズ鏡胴２３の先端部に連結され、連結アーム３４の２つの軸３６、３８を中心に、図１、図２に示す収納位置と、図４に示す縦型使用位置と、図５に示す横型使用位置との間で回動自在に保持されている。
【００４１】
電子ビューファインダ３２は、不使用時に収納位置へ移動される。これにより、表示面４０がレンズ鏡胴２３の側面に形成された平坦部４２と対面し、表示面４０が保護される。また、電子ビューファインダ３２の長手方向とレンズ鏡胴２３の長手方向とが一致するので鏡胴ユニット１４をコンパクトにすることができる。
【００４２】
また、電子ビューファインダ３２は、使用時に縦型使用位置もしくは横型使用位置へ移動される。電子ビューファインダ３２は、レンズ鏡胴２３先端部に連結されているので、使用時には表示面４０がレンズ鏡胴２３の前端面とほぼ等しい位置に配置される。このため、腕を曲げ、デジタルカメラ１０の背面を撮影者に近づけ、確実に保持した状態でデジタルカメラ１０を構えても、表示面４０に表示される画像を視認することができる。
【００４３】
なお、上記実施形態では、電子ビューファインダが、収納位置、縦型使用位置、横型使用位置の３つの位置間で移動可能な場合を例に説明をしたが、本発明はこれに限定されるものではない。例えば、図６に示す鏡胴ユニット６０のように、縦長の電子ビューファインダ６２の長手方向一側部をレンズ鏡胴６４の先端部に軸着し、同図（Ａ）に示す収納位置と、同図（Ｂ）に示す縦型使用位置との２つの位置間で移動可能としてもよい。なお、図６以降の図面においては、上述した実施形態と同様の部材については同様の符号を付して説明を省略している。
【００４４】
さらに、図７に示す鏡胴ユニット７０のように、横長の電子ビューファインダ７２をレンズ鏡胴７４の先端部に軸着し、同図（Ａ）に示す収納位置と、同図（Ｂ）に示す横型使用位置の２つの位置間で移動可能にするといったことも考えられる。また、図８に示す鏡胴ユニット８０のように、電子ビューファインダ８２の長手方向一側部をレンズ鏡胴８４の先端部に軸着し、同図（Ａ）に示す収納位置と、同図（Ｂ）に示す横型使用位置の２つの位置間で移動可能にするといったことも考えられる。
【００４５】
なお、電子ビューファインダを使用している際には、表示面と反対側の面が被写体側へ向いているので、ここにストロボやＬＥＤなどにより被写体を照明する発光部を設けてもよい。こうすることで、表示面の反対側のスペースを有効活用できるので、本体ユニットに発光部を設ける場合と比較して、デジタルカメラを小型化することができる。
【００４６】
この場合、図９に示す発光部９０ように、電子ビューファインダ９２の表示面４０と撮影レンズ２０の光軸９６とのなす角θが９０°以上のときに、発光部９０から発光される光の光軸９８が撮影レンズの光軸９４と平行となり、適正な方向に光が発光できる構成にすることが好ましい。こうすることで、適正な方向に光が発光されるように電子ビューファインダを移動させた際に、表示面がやや上方を向くので撮影者が観察しやすくなる。
【００４７】
また、上記実施形態では、電子ビューファインダの表示面を撮影者が直接観察する例で説明をしたが、例えば、図１０に示すデジタルカメラ１００のように、本体ユニット１０２に設けられたループ光学系１０４を介して電子ビューファインダ１０６の表示面４０を観察してもよい。ループ光学系１０４は、表示面４０を拡大して観察するために設けられ、例えば、本体ユニット１０２の前面側及び背面側に配置される２枚のレンズから構成される。このように、ループ光学系を介して表示面を観察するようにすれば、より表示面を観察しやすい。
【００４８】
さらに、上述したループ光学系に加え、図１１に示すデジタルカメラ１１０のように、電子ビューファインダ１１２の表示面４０とループ光学系１１６との間の光路を覆うように遮光シート１１８を設けるといったことも考えられる。この遮光シート１１８は、一端部が電子ビューファインダ１１２に内蔵された周知の巻き取り機構に取り付けられる取り付け端となっており、他端部が本体ユニット１２０の突起１２２と係合する係合部１２４が形成された係合端となっている。そして、遮光シート１１８は、不使用時に巻き取り機構に巻き取られて電子ビューファインダ１１２内に収納される。また、遮光シート１１８は、使用時に巻き取り機構から引き出され、係合部１２４が突起１２２と係合されて、表示面４０とループ光学系１１６との間の光路を覆う。こうすることで、表示面をより観察しやすくなる。
【００４９】
なお、本発明は、レンズ鏡胴の先端部に電子ビューファインダを連結すればよいので、各部の形状や構成は上記実施形態に限定されるものではなく、適宜変更することができる。例えば、上記実施形態では、略円筒形状のレンズ鏡胴を用いる例で説明をしたが、角筒形状のレンズ鏡胴を用いるといったことも考えられる。また、上記実施形態では互いに直交する２つの軸を有する連結アームにて、レンズ鏡胴と電子ビューファインダとを連結する例で説明をしたが、例えば、ボールジョイントなどにより、レンズ鏡胴と電子ビューファインダとを連結してもよい。
【００５０】
さらに、図１２に示すデジタルカメラ１３０のように、撮影者が保持するためのハンドグリップ１３２を形成した本体ユニット１３４を用いると言ったことも考えられる。このデジタルカメラ１３０は、例えば、右手にてハンドグリップ１３２を把持し、左手にて鏡胴ユニット１４を下方から支持することによって構えられる。このように、ハンドグリップを形成することによって、デジタルカメラをより確実に保持できる。
【００５１】
また、鏡胴ユニットと本体ユニットとから構成されるデジタルカメラを例に説明をしたが、本体ユニット内に内蔵された装置を鏡胴ユニット内に内蔵することで、本体ユニットを廃止することも可能である。この場合、例えば、図１３に示すデジタルカメラ１４０のように、ハンドグリップ１４２を設ける。ハンドグリップ１４２は、撮影者が把持し易いように棒状のグリップ形状に形成され、一端部にシャッタボタン２４が配置されている。また、ハンドグリップ１４２の他端は、レンズ鏡胴１４４の側壁に設けられた開口１４６と係合する係合端１４８となっている。そして、係合端１４８が開口１４６に嵌め込まれることによって、ハンドグリップ１４２と鏡胴ユニット１４４とが一体化される。こうすることでデジタルカメラを小型化でき、また、確実に保持することができる。
【図面の簡単な説明】
【００５２】
【図１】デジタルカメラの前面側斜視図である。
【図２】デジタルカメラの背面側斜視図である。
【図３】レンズ鏡胴の先端に電子ビューファインダが取り付けられる様子を表す説明図である。
【図４】縦型使用位置を表す説明図である。
【図５】横型使用位置を表す説明図である。
【図６】鏡胴ユニットの背面側斜視図である。
【図７】鏡胴ユニットの背面側斜視図である。
【図８】鏡胴ユニットの背面側斜視図である。
【図９】発光部からの光の光軸と表示面との関係を表す説明図である。
【図１０】デジタルカメラの背面側斜視図である。
【図１１】デジタルカメラの背面側斜視図である。
【図１２】デジタルカメラの前面側斜視図である。
【図１３】デジタルカメラの前面側斜視図である。
【符号の説明】
【００５３】
１０、１００、１１０、１３０、１４０  デジタルカメラ
１２、１０２、１２０、１３４  本体ユニット
１４、６０、７０、８０、１４４  鏡胴ユニット
２０  撮影レンズ
２２  ＣＣＤ
３２、６２、７２、８２、９２、１０６、１１２  電子ビューファインダ
３４  連結アーム
４０  表示面
９０  発光部
９６  撮影レンズ光軸
９８  光軸
１０４、１１６  ループ光学系
１１８  遮光シート
１４２  ハンドグリップ
【図１】
2006319660.tif 000003
【図２】
2006319660.tif 000004
【図３】
2006319660.tif 000005
【図４】
2006319660.tif 000006
【図５】
2006319660.tif 000007
【図６】
2006319660.tif 000008
【図７】
2006319660.tif 000009
【図８】
2006319660.tif 000010
【図９】
2006319660.tif 000011
【図１０】
2006319660.tif 000012
【図１１】
2006319660.tif 000013
【図１２】
2006319660.tif 000014
【図１３】
2006319660.tif 000015